(57)【特許請求の範囲】
【請求項１】
システム情報がブロードキャスト制御チャネル上で送信される無線通信システムにおける無線基地局を動作させる方法であって、
非専用のマルチメディア・ブロードキャスト・マルチメディア・サービス（ＭＢＭＳ）キャリアである第１のキャリア上で継続的に送信される前記ブロードキャスト制御チャネルを介して前記システム情報を送信するステップと、
規定のインターバルで周期的かつ非継続的に送信される前記ブロードキャスト制御チャネルを介して前記システム情報を送信するステップと
を備える方法。
【請求項２】
前記規定のインターバルで周期的かつ非継続的に送信される前記ブロードキャスト制御チャネルを介して前記システム情報を送信する前記ステップは、
前記第１のキャリア上で前記ブロードキャスト制御チャネルを規定のインターバルで周期的かつ非継続的に送信するステップ
を含むことを特徴とする請求項１に記載の方法。
【請求項３】
前記第１のキャリア上で前記ブロードキャスト制御チャネルを規定のインターバルで周期的かつ非継続的に送信する前記ステップは、
前記ブロードキャスト制御チャネルを所定のチャネライゼーションコードを用いて送信するステップ
を含むことを特徴とする請求項２に記載の方法。
【請求項４】
前記規定のインターバルで周期的かつ非継続的に送信される前記ブロードキャスト制御チャネルを介して前記システム情報を送信する前記ステップは、
第２のキャリア上で前記ブロードキャスト制御チャネルを規定のインターバルで周期的かつ非継続的に送信するステップ
を含み、
前記第２のキャリアは、専用ＭＢＭＳキャリアであり、
ＭＢＭＳサービスと前記ブロードキャスト制御チャネルとが前記専用ＭＢＭＳキャリア上で厳格に時分割多重化されている
ことを特徴とする請求項１に記載の方法。
【請求項５】
第１のスクランブリング符号を使用して前記専用ＭＢＭＳキャリア上で前記ＭＢＭＳサービスを送信するステップと、
第２のスクランブリング符号を使用して前記専用ＭＢＭＳキャリア上で前記ブロードキャスト制御チャネルを送信するステップと
を含むことを特徴とする請求項４に記載の方法。
【請求項６】
前記第２のスクランブリング符号は、送信が実行されるセルに固有のスクランブリング符号である
ことを特徴とする請求項５に記載の方法。
【請求項７】
前記専用ＭＢＭＳキャリア上での他のサービスに関するデータを、前記ブロードキャスト制御チャネルが送信される区間において、符号分割多重を用いて、送信するステップ
をさらに含むことを特徴とする請求項４ないし６のいずれか１項に記載の方法。
【請求項８】
無線基地局であって、
請求項１ないし７のいずれか１項に記載の方法を実行することを特徴とする無線基地局。
【請求項９】
システム情報がブロードキャスト制御チャネル上で送信される無線通信システムにおけるユーザ装置を動作させる方法であって、
非専用のマルチメディア・ブロードキャスト・マルチメディア・サービス（ＭＢＭＳ）キャリアである第１のキャリアで継続的に受信される前記ブロードキャスト制御チャネルを介して前記システム情報を受信するステップと、
規定のインターバルで周期的かつ非継続的に受信される前記ブロードキャスト制御チャネルを介して前記システム情報を受信するステップと
を備える方法。
【請求項１０】
前記規定のインターバルで周期的かつ非継続的に受信される前記ブロードキャスト制御チャネルを介して前記システム情報を受信する前記ステップは、
前記第１のキャリア上で前記ブロードキャスト制御チャネルを規定のインターバルで周期的かつ非継続的に受信するステップ
を含むことを特徴とする請求項９に記載の方法。
【請求項１１】
前記第１のキャリア上で前記ブロードキャスト制御チャネルを規定のインターバルで周期的かつ非継続的に受信する前記ステップは、
前記ブロードキャスト制御チャネルを所定のチャネライゼーションコードを用いて受信するステップ
を含むことを特徴とする請求項１０に記載の方法。
【請求項１２】
規定のインターバルで周期的かつ非継続的に受信される前記ブロードキャスト制御チャネルを介して前記システム情報を受信する前記ステップは、
第２のキャリア上で前記ブロードキャスト制御チャネルを規定のインターバルで周期的かつ非継続的に受信するステップ
を含み、
前記第２のキャリアは、専用ＭＢＭＳキャリアであり、
ＭＢＭＳサービスと前記ブロードキャスト制御チャネルとが前記専用ＭＢＭＳキャリア上で厳格に時分割多重化されていることを特徴とする請求項９に記載の方法。
【請求項１３】
第１のスクランブリング符号を使用して前記専用ＭＢＭＳキャリア上で前記ＭＢＭＳサービスを受信して復調するステップと、
第２のスクランブリング符号を使用して前記専用ＭＢＭＳキャリア上で前記ブロードキャスト制御チャネルを受信して復調するステップと
を含むことを特徴とする請求項１２に記載の方法。
【請求項１４】
前記第２のスクランブリング符号は、受信が実行されるセルに固有のスクランブリング符号である
ことを特徴とする請求項１３に記載の方法。
【請求項１５】
前記専用ＭＢＭＳキャリア上での他のサービスに関するデータを、該データと符号分割多重化されている前記ブロードキャスト制御チャネルが受信される区間において、受信するステップ
をさらに含むことを特徴とする請求項１２ないし１４のいずれか１項に記載の方法。
【請求項１６】
ユーザ装置であって、
請求項９ないし１５のいずれか１項に記載の方法を実行することを特徴とするユーザ装置。
【請求項１７】
無線通信システムであって、
請求項８に記載された無線基地局を少なくとも１つ備え、かつ、
請求項１６に記載されたユーザ装置を少なくとも１つ備えた
ことを特徴とする無線通信システム。
【発明の詳細な説明】
【技術分野】
【０００１】
本発明はセルラー移動体通信システムにおけるＢＣＣＨ送信などに関する。
【背景技術】
【０００２】
ＨＳＰＡ（ハイ・スピード・パケット・アクセス）エボリューションの一部として、単一周波数ネットワーク（ＳＦＮ）と呼ばれるカバレッジエリアの全体において専用のダウンリンク搬送波（キャリア）上でポイント・ツー・マルチポイントによるＭＢＭＳ（マルチメディア・ブロードキャスト・マルチキャリア・サービス）を提供されるようになるであろう。この新しいＳＦＮの特徴は、ＭＢＭＳ送信のリリース６タイプに追加され、既存のキャリア上で実施されることになろう。
【０００３】
以下では、ＵＴＲＡＮ（ＵＭＴＳ地上無線アクセスネットワーク）におけるＭＢＭＳ送信の技術的な観点及び原理について説明することにする。
【０００４】
リリース６におけるＭＢＭＳ送信
３ＧＰＰ  ＴＳ２５．３４６、”無線アクセスネットワーク（ＲＡＮ）へのマルチメディア・ブロードキャスト／マルチキャスト・サービス（ＭＢＭＳ）の導入；ステージ２”を参照してみると、リリース６では、次に説明する２つのＭＢＭＳ送信モードをサポートしている。３ＧＦＰＰ ＴＳ２５．３３１、”無線リソース制御プロトコル仕様書”によれば、
●ポイント・ツー・ポイントによるＭＢＭＳ送信
●ポイント・ツー・マルチポイントによるＭＢＭＳ送信
が記述されている。
これらのシナリオの双方とも、ＭＢＭＳは、既存の他のサービスである通話サービスやデータサービスとともに同一のキャリアを共有することになっている。
【０００５】
ポイント・ツー・ポイントによるＭＢＭＳ送信はＤＣＨ（専用チャネル）またはＨＳ−ＤＳＣＨ（ハイ・スピード・ダウンリンク・共有チャネル）のいずれか実行かのうである。一方、ポイント・ツー・マルチポイントによるＭＢＭＳサービスは、複数のセルからＳ−ＣＣＰＣＨ（第２の共通制御物理チャネル）上で送信される。このＳ−ＣＣＰＣＨ上でのＭＢＭＳ送信では、ＵＥは、２つ以上のセルからのＭＢＭＳ送信信号を合成することができる。この合成処理は、選択合成であってもよいし、ソフト合成であってもよい。
【０００６】
ＳＦＮを介した専用ＭＢＭＳ送信
ＨＳＰＡエボリューションの一部として、ＭＢＭＳ送信用の個別の専用キャリアを用意する方法も考えられる。このような提案の一つは、Ｒ２−０６１８４４、”ＭＢＭＳ専用キャリア及びＭＢＭＳ制御プレーンの設計”、３ＧＰＰ ＴＳＧ−ＲＡＮ ＷＧ２ Ａｄ−ｈｏｃ ｏｎ ＬＴＥ、２００６年６月２７日〜３０日として、公開されている。このシナリオでは、ＭＢＭＳサービスだけに割り当てられた専用かつ単一のキャリア上でＭＢＭＳサービスが送信されることになる。これは、ポイント・ツー・マルチポイントによるシナリオにだけ適用される話である。このシナリオでは、ＳＦＮ合成（すなわち、伝搬空間において合成を実行すること）を実現可能となる、単一周波数ネットワーク（ＳＦＮ）によって特徴付けられている。これは、ＳＦＮ合成を実行するために、すべてのセルにおいて同一の物理リソース上で同一のサービスが送信されるべきであることを意味する。同様に、ＭＢＭＳ制御チャネルもＳＦＮ合成されるべきである。すなわち、すべての合成対象のセルにおいて同一の物理リソースを共有しなければならない。第２に、ＭＢＭＳを含有しているすべてのリソースブロックは、ＳＦＮエリア内に位置するすべての混合対象のセルにおいて共通のスクランブリングコードが使用されるべきことを意味する。このアプローチにおける主要な利点は、ＳＦＮの合成利得と、複数のユーザがＭＢＭＳデータを受信しながらトランスペアレントにＳＦＮエリア内を移動できることであろう。
【０００７】
ＳＦＮベースのＭＢＭＳ送信はＥ−ＵＴＲＡＮにおいてもサポートされている。３ＧＰＰ  ＴＲ  ２５．９１３、”改良型ＵＴＲＡ（Ｅ−ＵＴＲＡ）及び改良型ＵＴＲＡＮ（Ｅ−ＵＴＲＡＮ）”を参照のこと。
【０００８】
セル際選択及びシステム情報の読取
ＷＣＤＭＡにおいては、アイドル（待機）モードに移行しているＵＥがカバレッジエリア内に移動すると、ＵＥはセルの再選択を実行する。すなわち、ＵＥは、最良のセルにキャンプオンし、ＢＣＨチャネル上で送信され、Ｐ−ＣＣＰＣＨ（プライマリー共通制御物理チャネル）上に割り当てられているシステム情報を読み出す。これは、３ＧＰＰ  ＴＳ  ２５．２１１、”物理チャネルと、トランスポートチャネルの物理チャネル上へのマッピング（ＦＤＤ）”に記載されている。ＷＣＤＭＡによれば、ＢＣＨは継続的に送信されている。すなわち、他のチャネルに対して符号多重化されている。送信ビットレート（符号化データのレート）は約３０ｋｂ／ｓである。ＵＥは、ＢＣＨ上でブロードキャストされているシステム情報の全体を読み出すのに１秒程度かかる。システム情報において何らかの変更があることがページングインディケーションによって示唆されているケースでは、アイドルモードに移行しているＵＥは、セルの再選択の間にそのシステム情報を読み出すことが要求されるであろう。
【発明の概要】
【発明が解決しようとする課題】
【０００９】
問題となるのは、ＵＥがＳＦＮネットワークにおいてＭＢＭＳを受信しているケースでＢＣＨの読み出しが原因でＭＢＭＳデータを消失してしまうことである。
【００１０】
既存の手法における問題は、原理的に、ＵＥが非専用のＭＢＭＳセルにおいて他のチャネル、とりわけ、システム情報をみ出すことができるようにするために、ＳＦＮ送信を一時的に中断しなければならないことであろう。ＭＢＭＳの性能の観点からは、ページングを読み出したり、隣接セルの測定値を生成したりするための短時間の中断であれば許容されるであろう。一方で、数秒（１秒以上）程度のオーダーで発生する長時間の中断は、ＭＢＭＳの性能を大幅に低下させる。現在の解決手法によれば、継続的にＢＣＨ送信を行うことが原因で、セルの再選択（非専用のＭＢＭＳセルの再選択）が終了した後でＢＣＨを読み出すために、ＵＥは、少なくとも１秒程度ＭＢＭＳの受信を中断することが必要とされている。
【００１１】
この課題を解決するための１つの手法は、ＵＥが２つの受信機を備えることであろう。これは、ＵＥが一方の受信機によりＭＢＭＳデータを受信し、他方の受信機でＢＣＨ及び他のチャネルを読み出すことを意味する。しかし、２つの受信機を搭載することは、構成の複雑さとコストの上昇を招いてしまう。また、２つの受信機を備えることで、回路の非線形に伴う帯域内での相互変調成分が増加してしまう。基板を介した局部発振器からの漏れを原因とした自己結合効果や他の結合効果も発生しうる。ホモダイン受信機では、ＤＣキャリア性能を悪化させてしまう。一般に、２つのシンセサイザーを搭載すると、スプリアス放射が悪化してしまう。実装の複雑さの観点からは、ＲＦ（無線周波数）とＢＢ（ベースバンド）間のインタフェースを再設計して、追加の受信をサポートできるようにしなければならない。同様に、追加の受信機チェーンにおけるベースバンド処理をサポートすることも必要とされる。
【課題を解決するための手段】
【００１２】
そこで、本発明は、上述した課題の１つを解決するための方法を提供することを目的とする。すなわち、システム情報を含有しているブロードキャスト制御チャネル（ＢＣＣＨ）継続的に送信しないようにし、その代わりに時分割多重（ＴＤＭ）方式でブロードキャスト制御チャネルを送信することで、本目的を達成する。より具体的には、システム情報を含むブロードキャスト制御チャネル（ＢＣＣＨ）を非継続的かつ規定のインターバルで周期的に送信する、無線基地局で実行される方法に本発明は関連している。これにより、ＵＥが専用のＭＢＭＳキャリアを受信する単一の受信機を備えているときに、ＭＢＭＳデータの消失を防止または少なくとも軽減できるようになる。このＴＤＭ ＢＣＣＨは、リリース６において非専用のＭＢＭＳキャリア上で継続的に送信されるように規定されている既存のＢＣＨチャネルに対して追加される。
【００１３】
本発明は、さらに、上述の方法を実行する手段を備えた無線基地局に関する。
【００１４】
本発明は、さらに、ユーザ装置（ＵＥ）において実行される方法に関する。ＵＥは、セルの再選択を実行した後で、または、非継続的な手法でシステム情報が変更された後で、システム情報を含むブロードキャスト制御チャネル（ＢＣＣＨ）を受信する。本発明は、さらに、当該方法を実行する手段を備えたユーザ装置に関する。
【００１５】
ある実施形態によれば、ＢＣＣＨのＴＤＭ化は、非専用のＭＢＭＳキャリアにおいて導入される。
【００１６】
他の実施形態によれば、ＢＣＣＨのＴＤＭ化は、ＵＥがＭＢＭＳデータを受信することになっている専用のＭＢＭＳキャリアにおいて導入される。
【発明の効果】
【００１７】
本発明における１つの観点によれば、ＵＥは、専用のキャリア上でＭＢＭＳを受信し、非専用のＭＢＭＳキャリアからシステム情報（ＢＣＣＨ）を復号するために、２つの受信機を備える必要がなくなる。受信機の２重化は、帯域内での相互変調成分、漏れ、ＤＣキャリア性能の悪化、その他など、回路の非線形性が原因で、これらを深刻化させてしまう。
【００１８】
さらに、ＢＣＣＨを非専用のＭＢＭＳキャリア上で時分割多重化することで、ＭＢＭＳデータの損失を小さくすることができる。
【００１９】
さらに、ＢＣＣＨを専用のＭＢＭＳキャリア上で時分割多重化することで、ＭＢＭＳデータの損失を無くすことができる。
【図面の簡単な説明】
【００２０】
本発明における上述した又は他の目的、特徴及び利点は好ましい実施形態についての詳細な説明と図面とを参照することでさらに明確に理解できるであろう。
【図１】本発明に係る無線通信システムの一部を示した図である。
【図２】専用のＭＢＭＳキャリア上でのＭＢＭＳ送信を示した図である。
【図３】専用のキャリア上でＴＤＭ方式により複数のＭＢＭＳサービスを多重化した例を示した図である。
【図４】ＭＢＭＳサービスと非ＭＢＭＳサービスとを専用のキャリア上でＴＤＭ多重化した例を示した図である。
【図５】ＭＢＭＳサービスと非ＭＢＭＳサービスとを専用のキャリア上でＴＤＭ多重化した例を示した図である。
【図６】非専用のＭＢＭＳセルと専用のＭＢＭＳセルとの類似したカバレッジを示した図である。
【図７】非専用のＭＢＭＳセルのカバレッジが専用のＭＮＭＳセルのカバレッジよりも大きい例を示した図である。
【図８】専用のＭＢＭＳセルのカバレッジが非専用のＭＮＭＳセルのカバレッジよりも大きい例を示した図である。
【発明を実施するための形態】
【００２１】
図１には、本発明に係る無線通信ネットワーク１０の一部が示されている。
【００２２】
通信ネットワーク１０には、少なくとも１つの無線基地局２０（ネットワークノード、ノードＢまたは当業者にとって馴染みのある他の名称で呼ばれることもある）が含まれている。無線基地局２０の送信エリア３０は、当該無線基地局を囲むように描かれた６角形として示されている。この送信エリア３０は一般にセルと呼ばれている。便宜上、たった１つの基地局と、そのセルに関連付けられたセルを図示しているが、一般には、ネットワーク１０には多数の同様の基地局とセルとが含まれていることを理解できよう。携帯電話機４０（ユーザ装置と呼ばれることもある）は、セル３０内に位置し、１つ以上のキャリア（搬送波）上で基地局２０からの送信を受信したり、基地局２０に対して送信したりする。基地局２０と通信しているコアネットワーク（ＣＮ）５０は、ネットワーク１０の全体的な動作を制御している。
【００２３】
当業者であれば、ネットワーク１０が備える多数の構成要素が簡潔化のために省略されていることを理解できよう。基地局２０の動作と、ユーザ装置４０の動作とについて、以下で、より詳細に説明する。
【００２４】
ＴＤＭ方式を用いてＢＣＣＨを送信する２つの実施形態について次に説明する。
【００２５】
第１の実施形態では、ＢＣＣＨのＴＤＭ化を非専用のＭＢＭＳキャリア上で実現する例である。
【００２６】
ＢＣＣＨの時分割多重
本実施形態において、ＢＣＣＨは、非専用のキャリア上で、所定の周期でもって送信される。ＢＣＣＨ情報は、セル内に位置しているすべてのＵＥに対して、ＨＳ−ＤＳＣＨまたはＦＡＣＨ（フォワード・アクセス・チャネル）のいずれのチャネル上にもマッピングする（割り当てる）ことができる。これは、システム情報が新しい時分割多重されたＢＣＣＨ上へも複製されることを意味する。
【００２７】
ある実施形態では、各送信（または欠くＢＣＣＨバースト）の周期と期間とは標準化される。同様に、ＢＣＣＨ（ＨＳ−ＤＳＣＨまたはＦＡＣＨ）上で使用されるチャネライゼーションコードも標準化されてもよい。これは、例えば、ブラインド復調などのために標準化が必要となる。
【００２８】
システム情報の全体は、単一の送信区間において送信されてもよいし、複数の送信区間にまたがって分割されて送信されてもよい。前者は高いピークビットレートが必要となることを意味し、後者はピークビットレートを低下できることを意味する。しかし、双方のケースで同一の平均ビットレートを使用することもできる。例えば、これは、ＢＣＣＨバーストの送信周期を異ならしめればよい。典型的には、ＢＣＣＨバーストは、数ＴＴＩ（送信時間間隔）のオーダーとなり、例えば、２ｍｓないし２０ｍｓの間となろう。
【００２９】
専用ＭＢＭＳキャリアについてのシナリオ
ＭＢＭＳサービスは純粋に符号分割多重化されてもよいし、符号分割多重及び時分割多重されてもよい。ここでは、専用キャリア上でのＭＢＭＳサービスの多重化についての他の異なるシナリオにおいて非専用のキャリア上で送信されているＢＣＣＨをＵＥがどのように読み出すかについて説明する。
【００３０】
図２は、専用のＭＢＭＳキャリア上でＭＢＭＳサービスを純粋な符号分割多重で多重化することを示している。このケースによれば、ＵＥは、短期間（すなわち、ＢＣＣＨバーストの期間）だけ専用のＭＢＭＳキャリア上でのＭＢＭＳデータを単純に廃棄することによって、非専用のキャリア上で送信されているＢＣＣＨ情報を受信することができる。なお、ＵＥは、廃棄されたＭＢＭＳキャリアと非専用のキャリアとの間を切り換えることができ、非専用のＭＢＭＳセルの再選択を実行した後だけＢＣＣＨを復号することができる。
【００３１】
図３は、専用のＭＢＭＳキャリア上で符号分割多重及び時分割多重されているＭＢＭＳサービスを示している。このシナリオによれば、（非専用のＭＢＭＳキャリア上の）ＢＣＣＨバーストと、ＵＥが受信中のＭＢＭＳサービスとが同時に発生したときに、ＵＥは、ＭＢＭＳデータの一部を消失するにすぎない。ＭＢＭＳのＴＴＩは、ＢＣＣＨバーストを搬送するＨＳ−ＤＳＣＨやＦＡＣＨチャネルよりもずっと長いことが期待されている。故に、ＭＢＭＳデータのほんの一部だけが消失し、消失した部分もアプリケーションレベルで実行される符号化処理によって復元可能である。
【００３２】
ＢＣＣＨチャネル以外のチャネルについての受信
ＵＥが非専用のＭＢＭＳセルへ切り換えることの主要な目的は、ＢＣＣＨチャネルを受信して読み出すことである。しかし、ＵＥが周期的に非専用のＭＢＭＳへと切り換えるといった同様の原理は、ＶｏＩＰ（ＩＰによる通話サービス）などのような他のサービスを受信する際にも有効である。ＭＢＭＳデータの顕著な損失をすることなく、ＶｏＩＰタイプのサービスを受信することは可能である。なぜなら、このようなサービスは、規定の時間間隔で送信が実行され、送信バーストの期間は短いからである。
【００３３】
専用ＭＢＭＳキャリア上でのＢＣＣＨのＴＤＭ化
第２の実施形態は、ＵＥがＭＢＭＳデータを受信する専用のＭＢＭＳキャリア上でＢＣＣＨをＴＤＭ化することである。このケースでは、関連した非専用のＭＢＭＳキャリアのＢＣＣＨは、専用のＭＮＭＳキャリア上で、ＭＢＭＳサービスと時分割多重方式によって多重化されて送信される。これは、ＳＦＮのサブエリアがＢＣＣＨ送信と関連付けられて定義されることを意味する。非ＭＢＭＳのＢＣＣＨと専用ＭＢＭＳセルでのＢＣＣＨ送信との関連付けは、「ＳＦＮサブエリア」と題されたセクションで説明することにする。ＢＣＣＨに加えて、他のチャネルと他のサービスとが専用のＭＢＭＳキャリア上で多重化されてもよい。この点については、「ＢＣＣＨだけのＭＢＭＳ時分割多重化」と題されたセクションと、「ＢＣＣＨ及び他のチャネルについてのＭＢＭＳ多重化」と題されたセクションにおいて説明することにする。この方法の１つの利点は、ＵＥがＢＣＣＨを受信していないときに、ＢＣＣＨバーストの区間で、ＵＥが隣接セルについての測定値、すなわち、非専用ＭＢＭＳセルやインターＲＡＴセル、その他についての測定値を生成できることである。なお、ＵＥは、セルの再選択を実行した後、または、ページングインディケーションがＢＣＣＨ情報の変更を示唆しているときにだけ、ＢＣＣＨを受信することが要求されるにすぎない。
【００３４】
ＢＣＣＨだけのＭＢＭＳ時分割多重化
図４は、ＢＣＣＨだけが専用のキャリア上でＭＢＭＳサービスと時分割多重されているシナリオを示した図である。故に、ＭＢＭＳサービスが送信されているところにだけＭＢＭＳスロットが存在し、システム情報だけがブロードキャストされているところにＢＣＣＨ用の周期的なスロットが設けられている。
【００３５】
ＭＢＭＳ送信中（すなわちＭＢＭＳスロット）に、ＳＦＮエリア内に位置する専用のＭＢＭＳセルのすべてが共通のスクランブリング符号を使用する。第２に、ＭＢＭＳサービスは、ＭＢＭＳスロットの区間において、符号分割多重されていてもよいし、時分割多重かつ符号分割多重されていてもよい。一方で、ＢＣＣＨの送信スロットの区間で、各専用ＭＢＭＳセル（またはＳＦＮサブエリア）ごとに固有のスクランブリング符号が使用されてもよい。これにより、ＵＥはＳＦＮサブエリアを識別できるようになる。このように、非ＭＢＭＳセルに対応した異なるシステム情報を、異なる専用ＭＢＭＳセル（またはＢＣＣＨスロットの送信区間でのＳＦＮサブエリア）で送信することができる。
【００３６】
ＢＣＣＨバーストの周期性と、専用ＭＢＭＳセル上で使用されているＢＣＣＨバースト区間とは、標準化によって定義されてもよいし、最初のセル選択中に非専用のＭＢＭＳセルからシステム情報を読み出すことによって取得されてもよい。リリース６によれば、スクランブリング符号についての情報は、ＣＰＩＣＨ上に割り当てられた送信されることになっている。故に、ＵＥは、ＣＰＩＣＨを復調することでＭＢＭＳサブエリアを識別できる。
【００３７】
ＢＣＣＨ及び他のチャネルについてのＭＢＭＳ多重化
これは、ＢＣＣＨの時分割多重化について説明したセクションにおける構成と類似している。しかし、他のサービスがＢＣＣＨの送信に対して符号分割多重化される。図５は、他のチャネル及び共通チャネルに加え、ＢＣＣＨの送信とＭＢＭＳサービスとの時分割多重化について示している。ＭＢＭＳの送信期間には、数個のＴＴＩが含まれることになるが、この期間中に、ＳＦＮネットワーク内に位置するすべてのセルが同一のスクランブリング符号を使用して、ＳＦＮを介してＭＢＭＳサービスが送信される。しかし、ＢＣＣＨと非ＭＢＭＳサービスとが周期的に専用ＭＢＭＳセル（またはＳＦＮサブエリア）固有のスクランブリング符号を使用して送信される。ＶｏＩＰなどの双方向サービスについては、ＢＣＣＨスロットの送信中におけるアップリンク送信が非専用のＭＢＭＳキャリア上で発生する。実装を簡潔にするために、また、クローズトループによる電力制御のために、同一の基地局サイトからのアップリンク送信と、ダウンリンク送信とを受信可能なユーザ装置は、専用ＭＢＭＳキャリア上で双方向サービスを受信してもよい。
【００３８】
ＳＦＮサブエリア：専用ＭＢＭＳキャリア上のＢＣＣＨと非専用ＭＢＭＳキャリア上のＢＣＣＨとの関係
専用ＮＢＭＳセルと非専用ＭＢＭＳセルとの間のカバレッジに関して３つのシナリオが考えられる。
【００３９】
類似のカバレッジ：専用ＭＢＭＳセルと非専用ＭＢＭＳセル
これは最も単純なシナリオである。ＳＦＮエリア内に位置するすべての非専用ＭＢＭＳセルと専用ＭＢＭＳに、図６に示すような類似のカバレッジを設けることである。
【００４０】
これは、専用ＭＢＭＳセルにおけるＢＣＨが、対応する非専用のＭＢＭＳセルにおけるＢＣＨと同一にすることが可能であることを意味する。ある実施形態では、専用ＭＢＭＳセルにおけるＢＣＨを、対応する非専用ＭＢＭＳセルにおけるＢＣＨのサブセット（補集合）としてもよい。これにより、専用ＭＢＭＳのＢＣＨのオーバヘッドを削減でき、ＢＣＨの読み出しをスピードアップすることが可能となろう。
【００４１】
非専用ＭＢＭＳセルのカバレッジが専用ＭＢＭＳセルのカバレッジよりも大きい場合
このケースでは、同一の非ＭＢＭＳセルのカバレッジ内に位置しているすべての専用ＭＢＭＳセルが、図７に示すように、同様ないしは類似のＢＣＨコンテンツを具備する。このＢＣＨコンテンツは、非専用ＭＢＭＳセルにおけるＢＣＨに対応している。
【００４２】
非専用ＭＢＭＳセルのカバレッジが専用ＭＢＭＳセルのカバレッジよりも小さい場合
この場合はより複雑なシナリオとなる。なぜなら、図８に示すように、いくつかの非専用ＭＢＭＳセルが、一つの大きな専用ＭＢＭＳセル内に配置されてしまうからである。１つの解決手法は、複数ある非専用のＭＢＭＳセルのそれぞれに対応したＢＣＣＨ（論理チャネル）を１つのＢＣＨへ多重化することである。ＵＥは、通常どおり、非専用ＭＢＭＳセル上でセルの再選択（またはハンドオーバ）を実行し、最良のセルを選択し、最良と判定された非専用のＭＢＭＳセルのセル識別情報を取得することができる。ＵＥは、専用ＭＢＭＳセル上で関連している（すなわち、最良として選択された非専用ＭＢＭＳセルについての）ＢＣＣＨだけを読み出す。
【００４３】
主要なインパクトとしては、読み出しに必要となる時間が長くなってしまうことであろう。なぜなら、複数の非専用ＭＢＭＳのそれぞれに関連したいくつかのＢＣＣＨが同一のＢＣＨ上で多重化されているからである。１つの単純化方式としては、単一の論理チャネル（ＢＣＣＨ＿ｃｏｍｍｏｎ）上ですべてのセルにおいて共通のすべてのシステム情報と、個別論理チャネル（ＢＣＣＨ＿ｃｅｌｌ＿ｓｐｅｃｉｆｉｃ）上でのセル固有のシステム情報を合成する（組み合わせる）ことであろう。上述したように、すべてのこれらの論理チャネルは、専用ＭＢＭＳセルにおける同一のＢＣＨ上で多重化されてもよい。
【００４４】
Ｅ−ＥＴＲＡＮへの応用
先に述べたように、ＳＦＮ  ＭＢＭＳは、Ｅ−ＵＴＲＡＮでもサポートされるべきである。３ＧＰＰ ＴＲ ２５．９１３、”改良型ＵＴＲＡ（Ｅ−ＵＴＲＡ）及び改良型ＵＴＲＡＮ（Ｅ−ＵＴＲＡＮ）”を参照のこと。Ｅ−ＵＴＲＡＮにおいて、ＵＥは、非専用ＭＢＭＳセルからシステム情報（ＢＣＣＨ）を読み出すことを要求される。故に、ここまでで提案してきた専用ＭＢＭＳキャリア上でＢＣＣＨとＭＢＭＳサービスとを時間多重化することは、Ｅ−ＵＴＲＡＮにも適用可能である。
【００４５】
本発明は、上述した事例にのみ限定されるわけではない。添付の特許請求の範囲の技術的範囲には様々な変形例も含まれることが意図されている。
【図１】
0004773564.tif 000002
【図２】
0004773564.tif 000003
【図３】
0004773564.tif 000004
【図４】
0004773564.tif 000005
【図５】
0004773564.tif 000006
【図６】
0004773564.tif 000007
【図７】
0004773564.tif 000008
【図８】
0004773564.tif 000009